(57)【要約】【課題】塗料を一度補給しただけで広面積の塗布が可能となるとともに各種様々な塗料や塗付面に対応でき作業性にも優れている。【解決手段】外周に形成した少なくとも一つの平面からなる塗付面４を有するとともにその内部に少なくとも一部が開口可能な空洞部２１を有する柱状であって塗付面４に空洞部２１へ通じる多数の透孔４１が形成されている基体２と、基体２の外周の少なくとも塗付面４およびこの塗付面４に隣接する外周面２２，２３とにより形成される角部２４，２５を覆う塗布体５と、基体２の塗付面４以外の外周面２２に付設した把持部６と、基体２の空洞部２１内に挿入される塗料吸収体３とを有する。【選択図】        図３
2004216271.tif 000002
【特許請求の範囲】
【請求項１】
外周に形成した少なくとも一つの平面からなる塗付面を有するとともにその内部に少なくとも一部が開口可能な空洞部を有する柱状であって前記塗付面に空洞部へ通じる多数の透孔が形成されている基体と、前記基体の外周の少なくとも塗付面およびこの塗付面に隣接する外周面とにより形成される角部を覆う塗布体と、前記基体の前記塗付面以外の外周面に付設した把持部と、前記基体の空洞部内に挿入される塗料吸収体とを有する塗布具。
【請求項２】
前記塗付面が基体と別体であり、脱着可能な請求項１の塗布具。
【請求項３】
前記基体に形成された空洞部の少なくとも一部が開閉可能である請求項１または２記載の塗布具。
【請求項４】
前記塗布体と前記基体とが取付具により着脱自在である請求項１，２または３記載の塗布具。
【発明の詳細な説明】
【０００１】
【発明の属する技術分野】
本発明は、壁面や天井面など平滑面および縁部に塗料を塗布する際に用いられる塗布具に関するものである。
【０００２】
【従来の技術】
従来、室内の壁、天井、トタン屋根、外板、などのような広範囲の平滑な面を塗装するための塗布具として、図５に示すようなコテ状のものが用いられている。
【０００３】
このコテ状の塗布具１ａは、従来から多く用いられている刷毛状やローラ式の塗布具と異なり塗布面が広大であるため平滑で広範囲な塗布面に付いて使用する場合に適している。
【０００４】
【発明が解決しようとする課題】
しかしながら、前記従来のコテ型を呈する塗布具１ａは、裏面に付設した塗布面を兼ねるパット２ａを塗料皿に入れた塗料に浸して吸収させ、これを塗布するものである。
【０００５】
そのため、一回に多量の塗料を吸収させることが困難であることから一定の範囲を塗ったところで、塗料を補給する必要があり、塗布作業が煩雑となる、という問題がある。また、塗料タンクを取り付けてこの塗料タンクに保持させた塗料を複数の塗料補給用の通路を介して塗布体に補給するものもあるが（図示せず）、塗料を塗布体に均一に補給することが困難であるばかりか塗料タンクが塗布作業の障害になる。
【０００６】
更に、塗布の途中で新たに塗料を補給するので補給する前の部分と補給した部分との間の塗布面にムラが生じ易く、熟練した塗布技術を必要とする。
【０００７】
更にまた、各種の塗料や塗布面に応じて多くの種類の塗布具を用意する必要があり、経済的にも不利であるとともに、多数を現場に運んだり保管しなければならず、これらの手間も掛かる。
【０００８】
本発明は斯かる実情に鑑みてなされたものであり、塗料を一度補給しただけで広面積の塗布が可能となるとともに各種様々な塗料や塗付面に対応でき作業性にも優れたコテ型の平滑面用塗布具を提供するものである。
【０００９】
【課題を解決するための手段】
そこで、本発明は、外周に形成した少なくとも一つの平面からなる塗付面を有するとともにその内部に少なくとも一部が開口可能な空洞部を有する柱状であって前記塗付面に空洞部へ通じる多数の透孔が形成されている基体と、前記基体の外周の少なくとも塗付面およびこの塗付面に隣接する外周面とにより形成される角部を覆う塗布体と、前記基体の前記塗付面以外の外周面に付設した把持部と、前記基体の空洞部内に挿入される塗料吸収体とを有する塗布具とした。
【００１０】
前記塗布具は、前記基体内部に塗料吸収体が挿入されているため多くの塗料を保持でき、一度に広面積にわたる塗装を持続的に塗布することができるとともに、塗付面に角部を有するため、薄く平滑で隅々にわたる塗布を可能とすることができる。
【００１１】
また、前記塗付面が基体と別体であり、脱着可能とすることで、使用後の手入れがしやすくなるとともに、塗料の粘度等の物性に合わせて異なる透孔を形成したものを用いることが可能となり、各種の物性の塗料に対して適量の塗料を塗布面に送り出すことのできる塗布具とすることができる。
【００１２】
更に、基体に形成された空洞部の少なくとも一部を開放可能とすることで、使用後の手入れがしやすくなるばかりでなく、前記基体の柱状内部に挿入された塗布溶剤吸収体の取り替えが可能となり、前記塗料吸収体が、塗料を吸収・保持・排出可能な性質を有する場合には、各種の物性の塗料に対して塗布溶剤吸収体に充分量の塗料を含浸させることのできる塗布具とすることができる。
【００１３】
更にまた、前記塗布体として繊維、毛皮、紙または樹脂製品等のような布状物体を用いることによって、塗料を充分に含浸し塗付することができるとともに、前記塗布体と被塗布面との密着性の高いものを用いることによって、細かい凹凸のある平滑面に関しても精密に塗布することができる。
【００１４】
そして、マジック、ボタン、ヒモ、バンド、粘着剤、接着剤等の固定具を用いることによって、前記基体と前記塗布体とを着脱自在とすることで塗布体の交換等や使用後の手入れも容易になる。
【００１５】
【発明の実施の形態】
次に、本発明の実施の形態について図面を参照して詳細に説明する。
【００１６】
図１乃至図３は本発明の好ましい実施の形態を示すものであり、塗布具１は、主として、内部に空洞部２１を有する横形の偏平な三角柱状を呈する基体２と、前記基体２の空洞部２１に挿入される塗料吸収体３と、前記基体２の底面２１に形成された塗布面４とこの塗付面４に隣接する外周面２２，２３とにより形成される角部２４，２５とを覆う塗布体５と、前記基体２の外周面２３に付属した木材や硬質合成樹脂材により形成される棒状の把持部６とから構成される。
【００１７】
更に詳しく説明すると、基体２は、例えば所定形状を呈する金属性の薄板を折り曲げ、開放端を互いに接続して筒状に形成されているとともに側壁２６，２７が同一または同様な部材により閉塞されているが、これらの側壁２６，２７の内、少なくとも一方（例えば側壁２６）が開閉可能とされており、開放したときに内部に形成した空洞部２１が露出する。尚、側壁２６の固定方法には制限はなく、嵌め込み式や蝶番式等あるが、その他の手段も可能である。
【００１８】
また、基体２の塗布面４は多数の小径の透孔４１が並設されてメッシュ状に形成されている。
【００１９】
更に、前記基体２の空洞部２１に挿入される塗料吸収体３は、液体の塗料を吸収・保持・排出可能なものであればよく、例えば繊維、発泡樹脂、発泡ゴム等からなる板状や繊維状に構成され、前記基体２の側壁２４を開放して空洞部２１に挿脱する。
【００２０】
更にまた、基体２の塗付面４とこれに隣接する外周面２２，２３により形成される角部２４，２５とを覆う塗布体５は、液体塗料を含浸、保持および排出可能な、例えば布や軟質の発泡合成樹脂、不織布などのシート状に形成され、外周面２２，２３との間に配置される面ファスナ、ボタン、ヒモ、バンド、粘着剤、接着剤等の取付具７により着脱自在に固定される。
【００２１】
以上のような本発明の実施の形態である塗布具１を使用するには、まず、空洞部２１に挿入した塗料吸収体３に液体塗料を含浸させる。この際の含浸手段としては、例えば従来のコテ型を呈する塗布具と同様に塗布具１の基体２部分を塗料皿に入れた塗料に浸して塗料吸収体３に吸収させる方法、或いは予め液体塗料を含浸させた塗料吸収体３を挿入する方法、或いは、塗料吸収体３を基体２の空洞部２１に予め収容させたおき、側壁２６を開放させて露出させた塗料吸収体３に液体塗料を注入して含浸させる方法などが挙げられるが、液体塗料や塗料吸収体３の性質に応じて適宜選択すればよい。
【００２２】
次に、把持部６を握って、塗布体５で覆われた塗布面４を被塗布面８（図３参照）に当てて水平移動させると、図３に示すように、基体２の空洞部２１に挿入された塗料吸収体３に吸収、保持されている液体塗料が、塗布面４に形成された多数の小径の透孔４１を通って塗布体５に浸み出し、被塗布面８に塗布される。
【００２３】
このとき、本実施の形態では、塗付面４が多数の小径の透孔４１によりメッシュ状に形成されているので、塗料吸収体３に吸収、保持されている液体塗料が流れ出ることがないばかりか、塗布作業に応じて適度の液体塗料が塗布体５に吸収されるのできわめてきれいに塗布作業を行うことができる。
【００２４】
特に、基体２内部の塗料吸収体３に保持させた液体塗料の量が従来のパットに保持させるコテ型のものに比べて格段に多いので、塗布後の仕上げ作業に限らず、広面積における塗り作業にも好適となる。
【００２５】
加えて、本実施の形態は、塗布面４が塗布体５により覆われているので、特に仕上げ作業の場合には、美麗に仕上げることができ、塗布体６が布、毛皮、紙または軟質樹脂シートのような製品で構成されている場合には前記塗布体５と被塗布面７との密着性が高まり、細かい凹凸のある平滑面に関しても精密に塗布することができる。更に、塗布体５として空隙率の大きい極細繊維を使用する場合には、液体塗料の浸透性・保持性が高まり、被塗布面に塗付された余分な塗料を塗布体が吸収する作用を持つようになる。
【００２６】
また、本実施の形態では塗布体６が角部２４，２５を有するため、それを用いて均し作業も容易であるとともに例えば壁面と天井の境のような隅の箇所においても使用することができる。
【００２７】
更に、本実施の形態では、前記塗布体５は基体２に対してきわめて容易に着脱可能であり、使用後の手入れを簡単にすることができるとともに、被塗布面７や使用する液体塗料に合わせて適切なものを選択することができるので、多数種類のものを用意しておく必要がない。
【００２８】
尚、本実施の形態は、使用後は、塗布体５を取り外すとともに、側壁２６を開放して空洞部２１に挿入してある塗料吸収体３を取り出し基体２とともに別々に洗浄することが可能であり、作業終了後においてもきわめて作業性が良い。
【００２９】
図４は本発明の異なる実施の形態を示すものであり、全体の構成は前記図１乃至図３に示した実施の形態とほぼ同様であるが、塗布面４と対向する側面２２にも多数の小径の透孔４２が並設されてメッシュ状の塗布面４３が形成されているとともに、塗布体５が塗布面４と塗布面４３に渡って被覆されている。
【００３０】
従って、塗布面４と塗布面４３の両面を使用することができ、特に、塗布面４に形成される透孔４１と塗布面４３に形成されている透孔４２の孔径や孔数を変えておくことにより例えば下塗りと仕上げ塗り或いは異なる被塗布面について使用するなど各種の用途に対応することができる。
【００３１】
また、図５は本発明の更に異なる実施の形態を示すものであり、全体の構成は前記図１乃至図３に示した実施の形態とほぼ同様であるが、塗布面４が基体２と別体である基板４４により形成され、例えば差し込み式として脱着可能となっている点が異なる。
【００３２】
本実施の形態によれば、孔径や孔数の異なる複数種類の基板４４を用意しておき、被塗布面や仕様に合わせて選択して仕様することにより、多数の塗布具を用意する必要がなく、運搬や保管などの手間を少なくすることができる。特に、塗布面４を覆う塗布体５についても複数種類のものを用意しておくことにより更に多くの仕様に対処することができる。
【００３３】
尚、前記と実施例はいずれも三角柱状の基体２を有する場合を示したが、本発明における基体２は少なくとも一つの平面からなる塗布面を有する柱状であればよく、面の数は問わない。特に、前記図４および図５に示したように、塗布面の数を多くできるので更に効果が大きい。更に、前記実施の形態では基体２を金属製の薄板により形成し、塗布面４の部分に多数の透孔４１を形成したが、基体２を構成する部材は例えば硬質の合成樹脂など金属に限らず、また、薄板でなく予め多数の透孔が形成されている網体を用いてもよく、この場合には、特に、透孔を後から形成して塗布面４を形成する必要がなく全ての面に塗布面が形成される。
【００３４】
【発明の効果】
以上述べたように、本発明である塗布具は、一度に広面積にわたる塗布を持続的に塗布することができ、基体に形成された空洞部の少なくとも一部を開放可能とすることで、使用後の手入れがしやすくなるばかりでなく、前記基体の柱状内部に挿入された塗布溶剤吸収体の取り替えが可能となり各種の物性の塗料に対処することができる。
【００３５】
また、前記塗布体を基体と別体として着脱可能とすることで、使用後の手入れを簡単にすることができるとともに、被塗布面や使用する液体塗料に合わせて適切なものを選択することができるので、多数種類のものを用意しておく必要がないとともに、使用後は、塗布体を取り外すとともに、塗料吸収体を取り出し基体とともに別々に洗浄することが可能であり、作業終了後においてもきわめて作業性が良い。
また、塗付面と基体とを別体として、脱着可能とすることで、使用後の手入れがしやすくなるとともに、塗料の物性に合わせて異なる透孔を形成したものを用いることが可能となり、各種の物性の塗料に対して適量の塗料を塗布面に送り出すことのできる塗布具とすることができる。
【００３６】
更に、前記塗布体として繊維、毛皮、紙または樹脂製品等のような布状物体を用いることによって、塗料を充分に含浸し塗付することができるとともに、前記塗布体と被塗布面との密着性の高いものを用いることによって、細かい凹凸のある平滑面に関しても精密に塗布することができる。
【００３７】
更にまた、基体と塗布体とを着脱自在とすることで各種の仕様に対処可能であるばかりか塗布体の交換等や使用後の手入れも容易になる。
【図面の簡単な説明】
【図１】本発明の好ましい実施の形態を示す斜視図。
【図２】図１に示した実施の形態における一部を切截した底面図。
【図３】図１のＡ−Ａ線に沿う断面拡大図。
【図４】本発明の異なる実施の形態を示す縦断面図。
【図５】本発明の更に異なる実施の形態を示す斜視図。
【図６】従来例を示す斜視図。
【符号の説明】
１  塗布具、２  基体、３  塗料吸収体、  ４  塗布面、５  塗布体、６  把持部、７取付具、２１  空洞部、４１  透孔、２２  外周面、２３  外周面、２４  角部、２５  角部
【図１】
2004216271.tif 000003
【図２】
2004216271.tif 000004
【図３】
2004216271.tif 000005
【図４】
2004216271.tif 000006
【図５】
2004216271.tif 000007
【図６】
2004216271.tif 000008